(57)【要約】      （修正有）【課題】洗浄作業時や乾燥作業時の被洗浄物の移送に人の手を要さず、省スペースで洗浄及び乾燥ができ、減圧雰囲気下での洗浄や乾燥作業を可能とする減圧乾燥及び洗浄移送装置を得る。【解決手段】上下動機構によって洗浄槽１内を昇降可能とし、洗浄槽の内周枠２に第１シール部材１１を介して密着させることにより洗浄槽内を下部空間２８と上部空間２７とに気密的に分割し、上部空間を減圧機構31により減圧可能とした仕切板３と、洗浄槽の上部空間形成側の側壁４に備えられた一対の対向する開口部５と、一対の開口部を第２シール部材２４を介して各々密閉可能とする一対の閉止板６と、一対の開口部から洗浄槽の外方に水平方向に伸びて仕切板及び一対の開口部を介して被洗浄物を洗浄槽の内外に移送可能とする移送機構３０とを備える。【選択図】図１
2019042683.tif 000002
【特許請求の範囲】
【請求項１】
上下動機構によって洗浄槽内を昇降可能とするとともに、この洗浄槽内に設けた内周枠に第１シール部材を介して密着させることにより、この洗浄槽内を下部空間と上部空間とに気密的に分割可能として上部空間を減圧機構により減圧可能とした仕切板と、上記洗浄槽を構成する上部空間形成側の側壁に備えられた一対の対向する開口部と、この一対の開口部を第２シール部材を介して各々密閉可能とする一対の閉止板と、上記一対の開口部から洗浄槽の外方に水平方向に伸びるとともに上記仕切板及び一対の開口部を介して被洗浄物を洗浄槽の内外に移送可能とする移送機構とを備えたことを特徴とする被洗浄物の減圧乾燥及び洗浄移送装置。
【請求項２】
洗浄槽には、洗浄溶剤の蒸気を発生させる蒸気発生槽と、洗浄槽内を減圧する減圧ポンプとをそれぞれ接続したことを特徴とする請求項１の被洗浄物の減圧乾燥及び洗浄移送装置。
【発明の詳細な説明】
【技術分野】
【０００１】
本発明は、機械部品、電子部品、医療機器等の被洗浄物に対し、その洗浄目的に応じた洗浄作業を簡易に行うことができるとともに、被洗浄物を洗浄槽の内外に容易に移送するための洗浄移送装置に係るものである。
【背景技術】
【０００２】
工業部品の洗浄に関し、従来よりフロン代替洗浄として高沸点溶剤の石油系溶剤や親水性溶剤等を使用して洗浄することが一般的となっている。そしてこの洗浄では液洗浄、蒸気洗浄、乾燥等様々な工程を経るものであるが、従来では特許文献１に示す如く洗浄槽と乾燥槽とを別個に設けたものが一般的に知られている。
【先行技術文献】
【特許文献】
【０００３】
【特許文献１】特開平７−２５６２２０号公報
【発明の開示】
【発明が解決しようとする課題】
【０００４】
しかしながら、特許文献１に示す如き洗浄装置は各工程毎に作業者が手動又は道具を使用して被洗浄物を洗浄槽や乾燥槽に出し入れしたり移送したりしなければならず、作業が煩雑となるとともに多くの人手を必要とするものであった。また、液洗浄や蒸気洗浄を行った後に減圧洗浄や減圧乾燥を行う場合には、別個に形成した洗浄槽や乾燥槽全体を減圧する必要があるため、容量の大きな洗浄槽や乾燥槽の場合には減圧に多大なエネルギーや時間が費やされるものとなるため効率が悪いものとなっていた。
【０００５】
そこで、本願発明は上述の如き課題を解決しようとするものであって、洗浄作業や乾燥作業の際の被洗浄物の移送に多くの人手を要することがない上に、洗浄及び乾燥を省スペースで容易に行うことができるとともに、減圧雰囲気下での洗浄や乾燥作業を容易に行うことができる減圧乾燥及び洗浄移送装置を得ようとするものである。
【課題を解決するための手段】
【０００６】
本願発明は上述の如き課題を解決するため、上下動機構によって洗浄槽内を昇降可能とするとともに、この洗浄槽内に設けた内周枠に第１シール部材を介して密着させることにより、この洗浄槽内を下部空間と上部空間とに気密的に分割可能として上部空間を減圧機構により減圧可能とした仕切板と、上記洗浄槽を構成する上部空間形成側の側壁に備えられた一対の対向する開口部と、この一対の開口部を第２シール部材を介して各々密閉可能とする一対の閉止板と、上記一対の開口部から洗浄槽の外方に水平方向に伸びるとともに上記仕切板及び一対の開口部を介して被洗浄物を洗浄槽の内外に移送可能とする移送機構とを備えたものである。
【発明の効果】
【０００７】
本発明は上述の如く構成したものであるから、一の洗浄槽にて液洗浄、蒸気洗浄及び乾燥作業を全て行うことができるものである。また、洗浄槽内を下部空間と上部空間とに気密的に分割可能とするとともに、洗浄槽内や上部空間内を減圧可能としたものであるから、上部空間にて減圧洗浄及び／または乾燥を容易に行うことができる。
【０００８】
更に一対の開口部から洗浄槽の外方に水平方向に伸びるとともに上記仕切板及び一対の開口部を介して被洗浄物を洗浄槽の内外に移送可能とする移送機構を設けたものであるから、洗浄槽への被洗浄物の配置から洗浄、乾燥後の洗浄槽から被洗浄物の搬出を、多くの人手や他に特別な装置を必要とすることなく行うことができるものである。そのため、洗浄コストを低く抑えることができるとともに、常圧雰囲気下又は減圧雰囲気下での洗浄及び乾燥作業を容易なものとすることが可能となる。
【図面の簡単な説明】
【０００９】
【図１】本願発明を示す実施例１の概念図。
【図２】実施例１における被洗浄物移送時の概念図。
【図３】実施例１における被洗浄物の減圧蒸気洗浄及び乾燥時の概念図。
【図４】実施例１における被洗浄物の液洗浄時の概念図。
【実施例１】
【００１０】
本発明の実施例１を図１〜４に於いて説明すると、図１に示す如く（１）は洗浄槽であって、高さ方向中央部の内周には内周枠(2)を突設している。そしてこの内周枠(2)の下方には、この内周枠(2)の底面に重なった状態で内周枠(2)を被覆可能とするとともに、上下動機構(図示せず)にて洗浄槽(1)内を昇降可能とする平板状の仕切板(3)を設けている。そしてこの内周枠(2)よりも上方に位置するとともに互いに対向する側壁(4)には、一対の開口部(5)をそれぞれ開口形成している。
【００１１】
またこの仕切板(3)の上面(26)には、被洗浄物(7)を載置するための載置板(8)を設けるとともに、この載置板(8)の表面には、適宜の回転機構(図示せず。)にて回転可能なローラー(10)を設けている。また、上記開口部(5)形成側の側壁(4)には、一対の開口部(5)を被覆して閉止可能とする閉止板(6)をそれぞれ設けている。そしてこの一対の閉止板(6)は、それぞれ開口部(5)の外方に、側壁(4)に沿って上下方向にスライド可能となるよう組みつけられている。尚、この一対の閉止板(6)は適宜の駆動機構(図示せず。)にて上下方向にスライド可能なものとしている。
【００１２】
また、上記一対の開口部(5)の水平方向外方には、図１に示す如く第1移送板(12)及び第２移送板(13)を内周枠(2)と同一高さに水平方向に設けるとともに、この第1、第２移送板(12)(13)の表面にも適宜の回転機構(図示せず。)にて回転するローラー(14)(15)を設けている。上記の如く第１、第２移送板(12)(13)を設けることにより、仕切板(3)が内周枠(2)の位置まで上昇した際に、図２に示す如く第1移送板(12)から一対の開口部(5)及び洗浄槽(1)内の仕切板(3)を通じて第２移送板(13)まで、被洗浄物(7)の移送を円滑に行うことが可能となる。
【００１３】
また図１に示す如く、洗浄槽(1)には、蒸気発生槽(16)と本実施例の減圧機構(31)である減圧ポンプ(17)とを、洗浄槽(1)の天板に接続した第1接続配管 (20)及び第２接続配管(21)に各々設けるとともに、第1接続配管(20)には第1開閉弁(22)を、第２接続配管(21)には第２開閉弁(23)をそれぞれ設けている。
【００１４】
また一対の閉止板(6)の内面には、開口部(5)外周(25)の対応位置に第２シール部材(24)をそれぞれ設けている。そのため、図１に示す如く開口部(5)を閉止板(6)にて被覆配置した際には、開口部(5)の外周(25)と閉止板(6)との間を気密的に密着配置することができる。更に、仕切板(3)の上面(26)には、内周枠(2)の対向位置に第１シール部材(11)を設けている。そのため、仕切板(3)を内周枠(2)に当接させた際に、内周枠(2)と閉止板(6)との間を気密的に密着配置することができる。
【００１５】
そのため図１に示す如く、一対の開口部(5)に閉止板(6)を被覆して密着配置するとともに、内周枠(2)に仕切板(3)を被覆して密着配置することにより、洗浄槽(1)を上部空間(27)及び下部空間(28)とに分割して、それぞれを密閉空間とすることが可能となる。尚、本実施例では上記第１、第２移送板(12)(13)、仕切板(3)、載置板(8)、回転機構、及びローラー(10)(14)(15)により、本発明の移送機構(30)を構成している。
【００１６】
上記の如く形成したものについて、被洗浄物(7)の洗浄及び移送方法を、以下に説明する。まず図１に示す如く、洗浄槽(1)の下部空間(28)内には被洗浄物(7)を浸漬可能な位置まで洗浄溶剤(32)を予め収納するとともに、図1に示す如く仕切板(3)を予め内周枠(2)と同じ高さ位置に配置するとともに、この内周枠(2)の底面に第１シール部材(11)を介して仕切板(3)の周縁を密着配置する。また閉止板(6)を駆動機構にて上方にスライドさせることにより、図２に示す如く開口部(5)を、被洗浄物(7)が通過可能な位置まで開放状態としておく。また、第１、２開閉弁はいずれも閉止状態としておく。
【００１７】
そして、図２の実線にて示す如く第1移送板(12)上に被洗浄物(7)を配置した状態で、回転機構によって第1移送板(12)と載置板(8)のローラー(10)(14)を進行方向に回転させる。これにより、上記被洗浄物(7)が開口部(5)を通過して仕切板(3)の載置板(8)上に移動する。そして、このように被洗浄物(7)を載置板(8)上に載置した状態で、図３の矢印に示す如く、一対の閉止板(6)を下方にスライドさせて開口部(5)に被覆し、この開口部(5)の外周(25)に密着配置する。
【００１８】
上記の如く仕切板(3)及び一対の閉止板(6)をそれぞれ内周枠(2)及び開口部(5)の外周(25)に密着配置することにより、洗浄槽(1)の上部空間(27)がこの仕切板(3)と一対の閉止板(6)とにより密閉された状態となる。次に、この状態で第２開閉弁(23)を開弁するとともに減圧ポンプ(17)を作動させることにより、上部空間(27)内の減圧を行う。そして第1開閉弁(22)を開放させて、予め蒸気発生槽(16)内に発生させていた洗浄溶剤(32)の洗浄蒸気を、この蒸気発生槽(16)から第１接続配管(20)を通じて上部空間(27)内に導入し、減圧雰囲気下にて蒸気洗浄を行う。
【００１９】
このように、密閉された上部空間(27)内のみで蒸気洗浄を行うことができるため、減圧下での蒸気洗浄を容易に行うことができるとともに、蒸気洗浄空間を必要最小限に抑えることが可能となるため、洗浄槽(1)内全体にて蒸気洗浄を行う場合と比較して大量の洗浄蒸気を必要とすることなく蒸気洗浄を効率よく行うことができる。そして、蒸気洗浄が終了した際には、第1開閉弁(22)を閉止して洗浄蒸気の供給を停止し、以下の液洗浄に移行する。
【００２０】
この液洗浄について説明すると、上下動機構を作動させて仕切板(3)を下方に移動させることにより、図４の実線に示す如く被洗浄物(7)を洗浄溶剤(32)中に浸漬した状態とする。そして、引き続き減圧ポンプ(17)を作動させることにより洗浄槽(1)内全体を減圧状態とし、この減圧雰囲気下で被洗浄物(7)の液洗浄を行う。尚、本実施例では上記の如く液洗浄及び蒸気洗浄を減圧下で行っているが、他の異なる実施例ではこれに限らず、常圧下で行うことも可能である。
【００２１】
そして上記の如く蒸気洗浄及び液洗浄が終了した後、被洗浄物(7)の乾燥作業を行う。この乾燥作業について説明すると、図２に示す如く洗浄槽(1)内の仕切板(3)を上下動機構によって内周枠(2)の位置まで上方に移動させる。これにより、載置板(8)上の被洗浄物(7)が上部空間(27)内に配置されるとともに、この上部空間(27)内が仕切板(3)と一対の閉止板(6)とにより密閉された状態となる。そして、引き続き減圧ポンプ(17)を作動させて上部空間(27)内を減圧状態に保持して被洗浄物(7)の乾燥を行う。
【００２２】
そして上記乾燥作業が終了した後、第２開閉弁(23)を閉止するとともに減圧ポンプ(17)の作動を停止する。そして減圧状態にあった上部空間(27)を、第２接続配管(21)に設けるとともに外気と連通した第３開閉弁を開放して外気を導入し、常圧に戻す。その後、図２に示す如く一対の閉止板(6)を上方にスライドさせて開口部(5)を開放し、載置板(8)及び第２移送板(13)上のローラー(10)(15)を進行方向に回転させることにより、載置板(8)上の被洗浄物(7)を第２移送板(13)に移送して洗浄槽(1)の外方に取り出す。
【００２３】
上記の如く、洗浄開始前から洗浄後までの一連の作業における被洗浄物(7)の移送を移送機構(30)によって行うことができるため、洗浄槽(1)内への被洗浄物(7)の配置作業、洗浄作業、乾燥作業、洗浄槽(1)から被洗浄物(7)の取り出し作業を、多くの人手を必要とすることなく容易に行うことが可能となる。従って、洗浄コストを低く抑えることができるとともに、常圧又は減圧下での洗浄及び乾燥作業を容易なものとすることが可能となる。
【００２４】
また、一の洗浄槽(1)にて減圧下又は常圧下での液洗浄、蒸気洗浄及び乾燥作業を全て行うことができるため、広いスペースを必要とすることなく洗浄から乾燥までの一連の作業を行うことが可能となる。更に、洗浄槽(1)内を下部空間(28)と上部空間(27)とに気密的に分割可能とするとともに洗浄槽(1)内や上部空間(27)内を減圧可能としたものであるから、減圧雰囲気下での洗浄や乾燥作業を容易に行うことができる。
【符号の説明】
【００２５】
１  洗浄槽
２  内周枠
３  仕切板
４  側壁
５  開口部
６  閉止板
７  被洗浄物
１１  第１シール部材
１６  蒸気発生槽
１７  減圧ポンプ
２４  第２シール部材
２７  上部空間
２８  下部空間
３０  移送機構
３１  減圧機構
３２  洗浄溶剤
【図１】
2019042683.tif 000003
【図２】
2019042683.tif 000004
【図３】
2019042683.tif 000005
【図４】
2019042683.tif 000006